(57)【要約】  ポイント・ツー・マルチポイントの無線表示方法であって、データ処理機器と複数の表示機器とを接続するステップと、データ処理機器側が、画素データを取得し、画素データパケットを生成するステップと、マルチキャスト方式により画素データパケットを空中に送信するステップと、表示機器側が空中からマルチキャストデータを受信した後、マルチキャストプロトコルに従い前記画素データパケットをデパッキングし、マルチキャストデータパケットから画素データを復元するステップと、該画素データに基づいて表示・出力するステップとを含む。好ましくは、信号品質によってデータ処理機器側の送信レートの決定及び表示機器のマルチキャストグルーピングを行う。
2009515442.tif 000002
【特許請求の範囲】
【請求項１】
データ処理機器と複数の表示機器とを接続するステップａと、
データ処理機器側が、画素データを取得して、画素データパケットを生成し、マルチキャスト方式により画素データパケットを空中に送信するステップｂと、
表示機器側が空中からマルチキャストデータを受信した後、マルチキャストプロトコルに従い前記画素データパケットをデパッキングし、マルチキャストデータパケットから画素データを復元するステップｃと、
該画素データに基づいて表示・出力するステップｄと
を含むことを特徴とするポイントツーマルチポイントの無線表示方法。
【請求項２】
前記ステップｂに、上位層で所定の応用層プロトコルに従い画素データをパッキングして、画素データパケットを転送層へ伝送し、マルチキャスト方式によりＵＷＢリンク層に送信し、さらに物理層を介して空中に送信するステップを含み、
前記ステップｃに、マルチキャストデータパケットを物理層及びリンク層を介しデパッキングして上位層に送信し、ネットワーク層でマルチキャストデータパケットをデパッキングして、応用層のプロトコルに従い画素データを復元するステップを含む
ことを特徴とする請求項１に記載のポイントツーマルチポイントの無線表示方法。
【請求項３】
前記転送層とネットワーク層のプロトコルは、１つのマルチキャストプロトコルを合併して使用する
ことを特徴とする請求項１に記載のポイントツーマルチポイントの無線表示方法。
【請求項４】
前記ステップｂにおいて、画素データはデータ処理機器のＯＳから取得するか又はデータ処理機器のグラフィックカードの出力側から取得する
ことを特徴とする請求項２に記載のポイントツーマルチポイントの無線表示方法。
【請求項５】
データ処理機器がベースレートでスパニング探索パケットを表示機器に送信するステップと、
各表示機器のチャネル状況を収集するステップと、
前記チャネル状況に応じてデータ処理機器側に適する送信レートを決定するステップと
をさらに含む
ことを特徴とする請求項１乃至４のいずれか一項に記載のポイントツーマルチポイントの無線表示方法。
【請求項６】
前記のデータ処理機器側に適する送信レートを決定するステップに、
所定の比率の表示機器の信号強度が強度値以上になるように、複数の表示機器の信号強度に応じて前記強度値を選択してから、信号強度とレートとの対応関係に応じて対応する送信レートを決定するステップをさらに含む
ことを特徴とする請求項５に記載のポイントツーマルチポイントの無線表示方法。
【請求項７】
該強度値の信号強度が複数のレート値にわたる場合には、その中で最も低いレートを選択する
ことを特徴とする請求項６に記載のポイントツーマルチポイントの無線表示方法。
【請求項８】
該送信レートがシステムのデフォルト画像品質又はより高い画像品質の伝送をサポートできるかを判断し、Ｙｅｓであれば、システムのデフォルト画像品質又はより高い画像品質でデータを送信し、Ｎｏであれば、ユーザに解像度を下げること又は受信可能なより低い画像品質を通知するステップをさらに含む
ことを特徴とする請求項５に記載のポイントツーマルチポイントの無線表示方法。
【請求項９】
選択された送信レートが最も低い画像品質要求を満足させない場合には、信号強度に応じて該複数の表示機器を少なくとも２つのマルチキャストグループに分けることを特徴とする請求項５に記載のポイントツーマルチポイントの無線表示方法。
【請求項１０】
２つのマルチキャストグループの場合には、
各マルチキャストグループに対して、それぞれ対応する送信レートα、βを選択するステップｅ１と、
それぞれのフレームデータに対して、データ処理機器側は先ずレートαで２つのグループにマルチキャスト送信し、低速表示機器グループはできるだけ受信するステップｅ２と、
データ処理機器側が該データフレームをレートβで低速グループに送信したかを判断するステップｅ３と、
Ｙｅｓであれば、該データフレームをレートβで低速グループに送信し、Ｎｏであれば、ステップｅ２に戻るステップｅ４と
を更に含むことを特徴とする請求項９に記載のポイントツーマルチポイントの無線表示方法。
【請求項１１】
前記ステップｅ３の判断において、βマルチキャストに対して、Ｎ個のフレーム毎に１つのフレームを送信することを含み、Ｎは以下の数式によって決定され、
Ｎ＝Ｒｏｕｎｄ［Ｆ，（１−Ｆ＊Ｂ／α）＊β／Ｂ］
ここで、Ｆはαグループにおける１秒毎のフレーム数を表し、Ｂは各フレームの大きさを表し、Ｒｏｕｎｄ（ｍ，ｎ）操作はｍをｎで割った後、整数化することを表す
ことを特徴とする請求項１０に記載のポイントツーマルチポイントの無線表示方法。
【発明の詳細な説明】
【技術分野】
【０００１】
本発明は、データ無線伝送とデータ処理技術に関し、特に、ポイントツーマルチポイント（ｐｏｉｎｔ  ｔｏ  ｍｕｌｔｉｐｏｉｎｔ）の無線表示方法に関する。
【背景技術】
【０００２】
電子技術と材料工業の発展につれて、人々は日に日に広範に各種電子データ処理システムを使用することになり、そのため、不可避的により多く、より経常的に各種表示施設、表示装置を使用することになる。例えば、コンピュータを使用する時、コンピュータの主体部が演算操作などを実行する必要があり、さらに、表示機器の情報出力も必要とする。代表的な応用シーンにおいて、１つのＰＣホストとディスプレイとを含み、１つのノート型ＰＣにプロジェクタ又は大画面テレビなどを接続する。
【０００３】
表示機器は人の生活でますます不可欠な一部分になっていると言える。表示機器は主に、簡略してＣＲＴディスプレイと呼ばれており、ディスクトップパソコンの重要表示部分である陰極線管（Ｃａｔｈｏｄｅ  Ｒａｙ  Ｔｕｂｅ）ディスプレイと、主に液晶ディスプレイ（簡略してＬＣＤディスプレイと呼ぶ）及びプラズマディスプレイ等を含み、多様な分野に応用される表示機器であって、コンピュータ、ホームなどで応用されるフラットパネルディスプレイとに分けられる。大画面表示機器はプロジェクション大画面表示（簡略してＤＬＰと呼ぶ）とテレビ壁（ＴＶ  Ｗａｌｌ）等を含み、公衆場所で優先して選択する表示機器である。
【０００４】
現在、表示機器信号は通常ケーブルによって伝送される。しかし、表示機器をケーブルで接続するにはより多くの不備がある。例えば、ディスクトップパソコンを使用するとき、必ずケーブルでＣＲＴディスプレイと接続しなければならなく、長さがケーブルの影響を受け、移動も制限される。即ち、コンピュータホスト部と表示機器とをケーブルで接続しなければならなくて、使用が制限されている。
【０００５】
ケーブルから解放し、コンピュータ等の施設をより便利に使用するために、ケーブルが無線技術に取って代わり、無線伝送の方法で表示機器に信号を伝送することによって、ケーブルの束縛から離脱する。
【０００６】
なお、従来の技術において、普通、表示機器は一対一の専用機器で、１つのコンピュータのスクリーンを複数のディスプレイに投影するためには、有線で実現することは更に難しくて、無線では未だ対応するソリューションがない。
【０００７】
若し、既存のＴＣＰ／ＩＰプロトコルを採用すると、複雑度がより高くて、機器の処理負荷と製造コストを増加させる。
【０００８】
さらに、複数の無線表示機器が存在するため、相互間の無線チャネルは大きい差異と不確定性があり、それによってシステムのロバスト（耐障害能力を示す）と信頼性に影響を与える。
【０００９】
これに鑑みて、コンピュータと複数の表示機器との無線接続を実現するために、新しいポイントツーマルチポイントの無線表示方法を提供する必要がある。
【発明の開示】
【発明が解決しようとする課題】
【００１０】
本発明は、従来の技術の不備を解消するために、表示信号の無線マルチキャスト伝送を実現できる、ポイントツーマルチポイントの表示方法を提供することを目的とする。
【課題を解決するための手段】
【００１１】
本発明の目的を達成するために、本発明は、
データ処理機器と複数の表示機器とを接続するステップａと、
データ処理機器側が、画素データを取得して、画素データパケットを生成し、マルチキャスト方式により画素データパケットを空中に送信するステップｂと、
表示機器側が空中からマルチキャストデータを受信した後、マルチキャストプロトコルに従い前記画素データパケットをデパッキングし、マルチキャストデータパケットから画素データを復元するステップｃと、
該画素データに基づいて表示・出力するステップｄと
を含むことを特徴とするポイントツーマルチポイントの無線表示方法を提供する。
【００１２】
好ましくは、前記ステップｂに、上位層で所定の応用層プロトコルに従い画素データをパッキングして、画素データパケットを転送層へ伝送し、マルチキャスト方式によりＵＷＢリンク層に送信し、さらに物理層を介して空中に送信するステップを含み、
前記ステップｃに、マルチキャストデータパケットを物理層及びリンク層を介しデパッキングして上位層に送信し、ネットワーク層でマルチキャストデータパケットをデパッキングして、応用層のプロトコルに従い画素データを復元するステップを含む。
【００１３】
好ましくは、前記転送層とネットワーク層のプロトコルは、１つのマルチキャストプロトコルを合併して使用する。
【００１４】
好ましくは、前記ステップｂにおいて、画素データはデータ処理機器のＯＳから取得するか又はデータ処理機器のグラフィックカードの出力側から取得する。
【００１５】
好ましくは、データ処理機器がベースレートでスパニング探索パケットを表示機器に送信するステップと、
各表示機器のチャネル状況を収集するステップと、
前記チャネル状況に応じてデータ処理機器側に適する送信レートを決定するステップと
をさらに含む。
【００１６】
好ましくは、前記のデータ処理機器側に適する送信レートを決定するステップに、
所定の比率の表示機器の信号強度が強度値以上になるように、複数の表示機器の信号強度に応じて前記強度値を選択してから、信号強度とレートとの対応関係に応じて対応する送信レートを決定するステップをさらに含む。
【００１７】
好ましくは、該強度値の信号強度が複数のレート値にわたる場合には、その中で最も低いレートを選択する。
【００１８】
好ましくは、該送信レートがシステムのデフォルト画像品質又はより高い画像品質の伝送をサポートできるかを判断し、Ｙｅｓであれば、システムのデフォルト画像品質又はより高い画像品質でデータを送信し、Ｎｏであれば、ユーザに解像度を下げること又は受信可能なより低い画像品質を通知するステップをさらに含む。
【００１９】
好ましくは、選択された送信レートが最も低い画像品質要求を満足させない場合には、信号強度に応じて該複数の表示機器を少なくとも２つのマルチキャストグループに分ける。
【００２０】
好ましくは、２つのマルチキャストグループの場合には、
各マルチキャストグループに対して、それぞれ対応する送信レートα、βを選択するステップｅ１と、
それぞれのフレームデータに対して、データ処理機器側は先ずレートαで２つのグループにマルチキャスト送信し、低速表示機器グループはできるだけ受信するステップｅ２と、
データ処理機器側が該データフレームをレートβで低速グループに送信したかを判断するステップｅ３と、
Ｙｅｓであれば、該データフレームをレートβで低速グループに送信し、Ｎｏであれば、ステップｅ２に戻るステップｅ４と
を更に含む。
【００２１】
好ましくは、前記ステップｅ３の判断において、βマルチキャストに対して、Ｎ個のフレーム毎に１つのフレームを送信することを含み、Ｎは以下の数式によって決定され、
Ｎ＝Ｒｏｕｎｄ［Ｆ，（１−Ｆ＊Ｂ／α）＊β／Ｂ］
ここで、Ｆはαグループにおける１秒毎のフレーム数を表し、Ｂは各フレームの大きさを表し、Ｒｏｕｎｄ（ｍ，ｎ）操作はｍをｎで割った後、整数化することを表す。
【発明の効果】
【００２２】
本発明によれば、マルチキャストプロトコルに基づいてデータ処理機器と複数の表示機器との無線伝送を実現しているので、既存のＴＣＰ／ＩＰプロトコルに比べて、複雑度を低下させ、機器の処理負荷と製造コストを効果的に低下させることができる。これによって、表示内容を無線方式により同時に複数の表示機器に便利に投影することができることになる。ＵＷＢ技術に基づいたものであるため、画面の品質が向上され、歪みが減少される。
【００２３】
さらに、複数の無線表示機器が存在する場合、無線チャネルに大きい差異と不確定性がある状況に対して、本発明の好ましい実施形態では送信レート制御方法を提案した。これによって、システムのロバストと信頼性を向上させることができる。
【発明を実施するための最良の形態】
【００２４】
図１は、本発明のポイントツーマルチポイントの無線表示方法の応用環境を示す図である。
図１において、データ処理機器１１０及び複数の表示機器１２０で一対多数のコンピュータ無線表示システムを構成している。
なお、該データ処理機器１００は、表示データ処理能力を有する各種電子機器である。例えば、ＰＣ／サーバホスト、ノート型パソコン、ハンドセット（ＰＤＡ、ＤＶ等）等である。そして、該データ処理機器１００にはキーボード、マウス、レバー等の付属装置を有してもよい。
【００２５】
表示機器１２０は、多種のビデオ信号受信と画像の表示が実現できる機器である。例えば、コンピュータディスプレイ（ＬＣＤ、ＣＲＴ等）、プロジェクタ、テレビ等である。
ポイントツーマルチポイントの無線表示にとって、データ処理機器１１０は、少なくとも、画素データを取得するステップと、当然、画素データを圧縮しなくてもよいが、画素データに対して簡単圧縮を行い、その後、一定の応用層プロトコルに従いパッキングするステップと、画素データパケットを転送層に伝送し、マルチキャスト方式によりＵＷＢリンク層に送信し、更に物理層を介して空中に送信するステップと、を実行しなければならない。
表示機器１２０にとって、少なくとも、ＵＷＢ側において空中からマルチキャストデータを受信した後、物理層及びリンク層を介しデパッキングして上位層に送るステップを実行しなければならない。
ネットワーク層は、マルチキャストデータパケットをデパッキングして、応用層のプロトコルに従い画素データを復元する。
【００２６】
図２は図１に示す表示システムのブロック図である。
なお、データ処理機器１１０側には、第１のＵＷＢ伝送ユニット１３０が設置されている。該第１のＵＷＢ伝送ユニット１３０は、少なくとも、データ処理機器１１０側においてＯＳ又はグラフィックカード（図示せず）を介して画素データを取得するステップと、画素データに対して簡単圧縮を行うか又は圧縮せず、その後、一定の応用層プロトコルに従いパッキングするステップと、を実行する。画素データパケットを転送層に伝送し、マルチキャスト方式によりＵＷＢリンク層に送信し、更に物理層を介して空中に送信する。
該第１のＵＷＢ伝送ユニット１３０は以下のような２種類の具体的な実施形態を採用することができる。
【００２７】
第１の種類の方式において、該第１のＵＷＢ伝送ユニット１３０は、データ処理機器１１０のデータカード（外部から挿し込まれるもの、又は、内部に取り込まれるもの）の形態を採用するが、例えば１つのＰＣＩ／ｍｉｎｉ−ＰＣＩ／ＵＳＢカード等である。該データカードは、データ処理機器１１０からデータ処理機器１１０のＯＳを介して画面データを取得し、データ処理機器１１０のＯＳにおけるソフトウェアによって制御される。
【００２８】
第２の種類の方式において、該第１のＵＷＢ伝送ユニット１３０は、ＯＳではなく、直接グラフィックカードの出力から画面データを取得する。外部から挿し込まれるモジュールの形態を採用しており、データ処理機器１１０のグラフィックカード又はグラフィックコントローラの出力インタフェースに接続され、グラフィックカードと一体に集積されている。
【００２９】
表示機器１２０側に第２のＵＷＢ伝送ユニット１４０が設置されている。該第２のＵＷＢ伝送ユニット１４０は、少なくとも、空中からマルチキャストデータを受信した後、物理層及びリンク層を介しデパッキングして上位層に送るステップと、ネットワーク層でマルチキャストデータパケットをデパッキングして、応用層のプロトコルに従い画素データを復元するステップと、画素データを表示機器１２０に送って表示・出力するステップと、を実行する。
該第２のＵＷＢ伝送ユニット１４０は、以下のような２種類の具体的な実施形態を採用することができる。
【００３０】
第１の種類の方式において、該第２のＵＷＢ伝送ユニット１４０は、外部から表示機器１２０に挿し込まれる形態を採用してもよいが、例えばＶＧＡ／ＤＶＩインタフェース等に挿し込まれる。
【００３１】
第２の種類の方式において、該第２のＵＷＢ伝送ユニット１４０は、表示機器１２０と一体に集積されてもよい。
【００３２】
図３は、本発明のポイントツーマルチポイントの無線表示方法を示すフローチャートである。
図３に示すように、ステップ３１０で、データ処理機器と複数の表示機器とを接続する。
データ処理機器と複数の表示機器との接続は、ＵＷＢチップの下位層によって行われ、その後パケット送信の通信ができる。
ステップ３２０において、データ処理機器側がＯＳ又はグラフィックカードの出力側から画素データを取得して、画素データパケットを生成し、マルチキャスト方式により画素データパケットを空中に送信する。
【００３３】
なお、上位層は一定の応用層プロトコルに従い画素データをパッキングして、画素データパケットを転送層へ伝送し、マルチキャスト方式によりＵＷＢリンク層に送信して、さらに物理層を介して空中に送信する。
なお、画素データに対して簡単な圧縮を行ってもよいし、圧縮を行わなくてもよい。
【００３４】
本発明は、既存のＴＣＰ／ＩＰプロトコルと異なっており、転送層及びネットワーク層のプロトコルは１つの簡易なマルチキャストプロトコルを合併して使用する。マルチキャストパケットには、マルチキャストアドレスフラグ、送信側フラグ、データタイプフラグ、画素データ体、チェック等の情報が含まれる。
【００３５】
表１は、本発明におけるデータパケットのフォーマットの一例を示す。
【表１】
2009515442.tif 000003
【００３６】
ここで、マルチキャストアドレスは、データパケットがユニキャストされるかそれともマルチキャストされるかを表す。もし、マルチキャストであれば、どのマルチキャストグループ（複数のマルチキャストグループがある可能性があるが、後で詳細に説明する）。送信側アドレスは、誰が送信したデータかを表す。データタイプは、制御メッセージであるかデータメッセージであるか等を表す。データメッセージであれば、画素データ体フィールドがあり、該画素ブロックの先頭アドレス、長さ等の情報と最終の各画素のＲＧＢ値を含む。チェックビットは、既存のＣＲＣチェック符号等である。
【００３７】
ステップ３３０において、表示機器側が空中からマルチキャストデータを受信した後、マルチキャストプロトコルに従い前記画素データパケットをデパッキングして、マルチキャストデータパケットから画素データを復元する。
なお、物理層及びリンク層を介しデパッキングして上位層に送り、ネットワーク層でマルチキャストデータパケットをデパッキングして、応用層のプロトコルに従い画素データを復元する。
ステップ３４０において、画素データを表示機器に送って表示・出力する。
【００３８】
本発明の方法において、複数の無線表示機器の場合、各チャネルの差異を考慮して、多くの表示機器の正常な稼動を保証するために、本発明では適切なチャネルレートを選択するように一種の機器チャネル検出シグナリングを設計した。
【００３９】
図４は、本発明の方法においてチャネルレート選択を示すフローチャートである。
図４に示すように、ステップ４１０において、データ処理機器と複数の表示機器とを接続する。
ステップ４２０において、データ処理機器はベースレートでスパニング探索パケット（Ｓｐａｎｎｉｎｇ  Ｅｘｐｌｏｒｅｒ  Ｐａｃｋｅｔ）を表示機器に送信する。
なお、前記スパニング探索パケットの具体フォーマットは多種の形態が採用できる。例えば、簡単な空パケットで、パケットヘッドだけに標示すればよい。ネットワーク層で、フォーマットの例を表２に示す。
【００４０】
【表２】
2009515442.tif 000004
【００４１】
なお、データタイプフラグは、スパニング探索パケットであることを定義する。
ステップ４３０において、各表示機器のチャネル状況を収集する。
ステップ４４０において、チャネル状況に応じてデータ処理機器側に適する送信レートを決定する。
【００４２】
図５は、送信レートｒを決定する１つの具体例である。図５に示すように、受信した５つの表示機器の信号強度の大きさが異なる状況について、５０％以上の機器の信号の強度がこれ以上になるように１つの強度値を探す。該値の図面における信号強度に応じて、レート対応表で対応する送信レートを探す。もし、この範囲内の信号強度が複数のレート値にわたると、その中で最も低いレートを選択する。
【００４３】
ステップ４５０において、該送信レートがシステムのデフォルト画像品質又はより高い画像品質の伝送をサポートできるかを判断する。Ｙｅｓであれば、ステップ４６０に移行する。Ｎｏであれば、ステップ４７０に移行する。
ステップ４６０において、システムのデフォルト画像品質又はより高い画像品質でデータを送信する。
ステップ４７０において、ユーザに解像度を下げること又は受信可能なより低い画像品質を通知する。
【００４４】
該方法に基づいて、選択されたマルチキャストレートｒが低くて最も低い画像品質要求を満足させない場合、本発明はグルーピング方法を更に提供する。
このとき、全体表示機器を１つのマルチキャストグループとは見なせず、それを少なくとも２つのマルチキャストグループに分け、分け方はＫ−Ｍアルゴリズム（当然、更に多くのグループに分ける場合も類似の方法に基づいてもよい）により行われる。各マルチキャストグループに対して、異なる送信レートを採用する。
【００４５】
図６は、本発明におけるグルーピングした後に伝送することを示すフローチャートである。
図６に示すように、ステップ６１０において、Ｋ−Ｍアルゴリズムにより、信号強度に応じて複数の表示機器を２つのマルチキャストグループに分ける。
ステップ６２０において、各マルチキャストグループに対して、それぞれ対応する送信レートα、βを選択する。
ステップ６３０において、それぞれのフレームデータに対して、データ処理機器側は先ずレートαで２つのグループにマルチキャスト送信し、低速表示機器グループはできるだけ受信する。
ステップ６４０において、データ処理機器側が該データフレームをレートβで低速グループに送信したか否かを判断する。Ｙｅｓであれば、ステップ６５０に移行し、Ｎｏであれば、ステップ６３０に戻る。
【００４６】
システム総容量は制限を受けているため、レートα、βですべてのフレームを２つのグループにそれぞれ送信することはできない。βマルチキャストに対して、一部のフレームを抽出して送信してもよいが、例えば、Ｎ個のフレーム毎に１つのフレームを送信してもよい。Ｎは、以下の数式によって決定され、
Ｎ＝  Ｒｏｕｎｄ［Ｆ，（１−Ｆ＊Ｂ／α）＊β／Ｂ］
ここで、Ｆはαグループにおける１秒毎のフレーム数を表示し、Ｂは各フレームの大きさを表し、Ｒｏｕｎｄ（ｍ，ｎ）はｍをｎで割った後、整数化する。
ステップ６５０において、レートβで該データフレームを低速グループに送信する。
【００４７】
以上に述べられた発明は、システム容量が足りない場合にも、依然として一部の機器の要求が満足でき、即ち高速機器が依然として正常に表示できるとともに、低速機器も常にできるだけ受信しているため、レートαで復号化を完全、正確に行うことができないが、部分的に画像データを復号できる効果を奏する。このように、以降の低速グループβマルチキャストと結合して、更に効果的に画像フレームデータを復号できるので、部分的なダイバシティ機能を提供することになる。
【００４８】
本発明は上記実施形態に何ら限定されるものではなく、当業者であれば、本発明の原理を逸脱しない前提の下で、様々な改良及び変更が可能であり、これらの改良及び変更も本発明の保護請求の範囲に属することを理解されるであろう。
【図面の簡単な説明】
【００４９】
【図１】図１は、本発明のポイントツーマルチポイントの無線表示方法の応用環境を示す図である。
【図２】図２は、図１に示す表示システムのブロック図である。
【図３】図３は、本発明のポイントツーマルチポイントの無線表示方法を示すフローチャートである。
【図４】図４は、本発明の方法においてチャネルレート選択を示すフローチャートである。
【図５】図５は、図４に示す方法において送信レートを決定することを示す図である。
【図６】図６は、本発明におけるグルーピングした後に伝送することを示すフローチャートである。
【図１】
2009515442.tif 000005
【図２】
2009515442.tif 000006
【図３】
2009515442.tif 000007
【図４】
2009515442.tif 000008
【図５】
2009515442.tif 000009
【図６】
2009515442.tif 000010
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
データ処理機器と複数の表示機器とを接続するステップａと、
データ処理機器側が、画素データを取得して、画素データパケットを生成し、マルチキャスト方式により画素データパケットを空中に送信するステップｂと、
表示機器側が空中からマルチキャストデータを受信した後、マルチキャストプロトコルに従い前記画素データパケットをデパッキングし、マルチキャストデータパケットから画素データを復元するステップｃと、
該画素データに基づいて表示・出力するステップｄと
を含むことを特徴とするポイントツーマルチポイントの無線表示方法。
【請求項２】
前記ステップｂに、上位層で所定の応用層プロトコルに従い画素データをパッキングして、画素データパケットを転送層へ伝送し、マルチキャスト方式によりリンク層に送信し、さらに物理層を介して空中に送信するステップを含み、
前記ステップｃに、マルチキャストデータパケットを物理層及びリンク層を介しデパッキングして上位層に送信し、ネットワーク層でマルチキャストデータパケットをデパッキングして、応用層のプロトコルに従い画素データを復元するステップを含む
ことを特徴とする請求項１に記載のポイントツーマルチポイントの無線表示方法。
【請求項３】
前記転送層とネットワーク層のプロトコルは、１つのマルチキャストプロトコルを合併して使用する
ことを特徴とする請求項１に記載のポイントツーマルチポイントの無線表示方法。
【請求項４】
前記ステップｂにおいて、画素データはデータ処理機器のＯＳから取得するか又はデータ処理機器のグラフィックカードの出力側から取得する
ことを特徴とする請求項２に記載のポイントツーマルチポイントの無線表示方法。
【請求項５】
データ処理機器がベースレートでスパニング探索パケットを表示機器に送信するステップと、
各表示機器のチャネル状況を収集するステップと、
前記チャネル状況に応じてデータ処理機器側に適する送信レートを決定するステップと
をさらに含む
ことを特徴とする請求項１乃至４のいずれか一項に記載のポイントツーマルチポイントの無線表示方法。
【請求項６】
前記のデータ処理機器側に適する送信レートを決定するステップに、
所定の比率の表示機器の信号強度が強度値以上になるように、複数の表示機器の信号強度に応じて前記強度値を選択してから、信号強度とレートとの対応関係に応じて対応する送信レートを決定するステップをさらに含む
ことを特徴とする請求項５に記載のポイントツーマルチポイントの無線表示方法。
【請求項７】
該強度値の信号強度が複数のレート値にわたる場合には、その中で最も低いレートを選択する
ことを特徴とする請求項６に記載のポイントツーマルチポイントの無線表示方法。
【請求項８】
該送信レートがシステムのデフォルト画像品質又はより高い画像品質の伝送をサポートできるかを判断し、Ｙｅｓであれば、システムのデフォルト画像品質又はより高い画像品質でデータを送信し、Ｎｏであれば、ユーザに解像度を下げること又は受信可能なより低い画像品質を通知するステップをさらに含む
ことを特徴とする請求項５に記載のポイントツーマルチポイントの無線表示方法。
【請求項９】
選択された送信レートが最も低い画像品質要求を満足させない場合には、信号強度に応じて該複数の表示機器を少なくとも２つのマルチキャストグループに分けることを特徴とする請求項５に記載のポイントツーマルチポイントの無線表示方法。
【請求項１０】
２つのマルチキャストグループの場合には、
各マルチキャストグループに対して、それぞれ対応する送信レートα、βを選択するステップｅ１と、
それぞれのフレームデータに対して、データ処理機器側は先ずレートαで２つのグループにマルチキャスト送信し、低速表示機器グループはできるだけ受信するステップｅ２と、
データ処理機器側が該データフレームをレートβで低速グループに送信したかを判断するステップｅ３と、
Ｙｅｓであれば、該データフレームをレートβで低速グループに送信し、Ｎｏであれば、ステップｅ２に戻るステップｅ４と
を更に含むことを特徴とする請求項９に記載のポイントツーマルチポイントの無線表示方法。
【請求項１１】
前記ステップｅ３の判断において、βマルチキャストに対して、Ｎ個のフレーム毎に１つのフレームを送信することを含み、Ｎは以下の数式によって決定され、
Ｎ＝Ｒｏｕｎｄ［Ｆ，（１−Ｆ＊Ｂ／α）＊β／Ｂ］
ここで、Ｆはαグループにおける１秒毎のフレーム数を表し、Ｂは各フレームの大きさを表し、Ｒｏｕｎｄ（ｍ，ｎ）操作はｍをｎで割った後、整数化することを表す
ことを特徴とする請求項１０に記載のポイントツーマルチポイントの無線表示方法。
【手続補正２】
【補正対象書類名】明細書
【補正対象項目名】００１２
【補正方法】変更
【補正の内容】
【００１２】
好ましくは、前記ステップｂに、上位層で所定の応用層プロトコルに従い画素データをパッキングして、画素データパケットを転送層へ伝送し、マルチキャスト方式によりリンク層に送信し、さらに物理層を介して空中に送信するステップを含み、
前記ステップｃに、マルチキャストデータパケットを物理層及びリンク層を介しデパッキングして上位層に送信し、ネットワーク層でマルチキャストデータパケットをデパッキングして、応用層のプロトコルに従い画素データを復元するステップを含む。
【国際調査報告】
2009515442.tif 000011
2009515442.tif 000012
2009515442.tif 000013
2009515442.tif 000014